(57)【要約】【課題】  薬の選択、用量、正しい患者への受け渡し等が適正であるか否かを判定する。簡単な構成で薬の取り間違いを低減し、投薬ミスを大幅に低減する。【解決手段】  プリンタ１０により、診察券の表面のＩＣタグには、個人情報に応じたデータが書き込まれ、処方箋、カルテ、薬袋のＩＣタグには、処方情報に応じたデータが書き込まれる。薬を調合するために処方箋やカルテに記載された薬品を薬品棚から選び薬品の照合を行う（ａ．薬品照合処理）、薬の調合を行う（ｂ．薬品調合処理）、調合した薬を薬袋に入れ、患者に手渡す（ｃ．薬袋照合処理）、薬袋を受け取った患者に対し、用法に従った薬の服用を促す（ｄ．用法表示処理）等をＩＣタグから情報を読み出して行う。【選択図】      図１
2006092197.tif 000002
【特許請求の範囲】
【請求項１】
カルテ、処方箋、薬袋或いは診察券のいずれかに付与され、薬品名に対応したデータを含む処方情報が書き込まれた第１ＩＣタグと、
薬品が収容された収容部に付与され、薬品を識別するデータを含む薬品情報が書き込まれた第２ＩＣタグと、
前記第１ＩＣタグから処方情報を読み取ると共に、前記第２ＩＣタグから薬品情報を読み取る読取手段と、
読み取った前記各情報から薬品が一致するか否かを判定する判定手段と、
を備えたことを特徴とする薬管理システム。
【請求項２】
請求項１記載の薬管理システムにおいて、
薬品とその収容部の位置関係を記憶した記憶部を有し、
前記第１ＩＣタグから読み取った処方情報に基づいて前記記憶部を検索することにより、該当する収容部の位置を検索する検索手段を備えた
ことを特徴とする薬管理システム。
【請求項３】
請求項１記載の薬管理システムにおいて、
計量結果を示す計量データを出力する計量手段を具備し、
前記処方情報には用量を示す用量データが含まれ、前記第１ＩＣタグから読み取った用量データと前記計量手段が出力する計量データとを比較し、一致しているか否かを判定する計量判定手段と、
を備えたことを特徴とする薬管理システム。
【請求項４】
カルテ、処方箋、薬袋或いは診察券のいずれかに付与され、少なくとも薬品名、用量に対応したデータを含む情報が書き込まれたＩＣタグと、
前記ＩＣタグから処方情報を読み取る読取手段と、
ネットワーク上に接続されたデータベースに記憶されている薬品毎の基準値に基づき、前記読取手段が読み取った前記処方情報から薬品の用量が不適量であるか否かを判定する判定手段と、
を備えたことを特徴とする薬管理システム。
【請求項５】
薬袋に付与され、少なくとも患者を識別するデータを含む患者情報が書き込まれた第１ＩＣタグと、
診察券に付与され、少なくとも患者を識別するデータを含む患者情報が書き込まれた第２ＩＣタグと、
前記第１ＩＣタグから患者情報を読み取ると共に、前記第２ＩＣタグから情報とを読み取る読取手段と、
読み取った前記各患者情報が一致するか否かを判定する判定手段と、を備えた
ことを特徴とする薬管理システム。
【請求項６】
薬袋或いは診察券の少なくともいずれか一方に付与され、少なくとも用法・用量に対応したデータを含む処方情報が書き込まれたＩＣタグと、
前記ＩＣタグに書き込まれた処方情報を読み取る読取手段と、
読み取った前記処方情報から用法・用量を報知する報知手段と、を備えた
ことを特徴とする薬管理システム。
【請求項７】
請求項６に記載の薬管理システムにおいて、
前記用法・用量に対応したデータは、少なくとも薬の種類、服用時刻、服用量を示し、前記報知手段は、前記薬の種類、薬の画像、服用時刻、服用量などの何れか、または全てを報知することを特徴とする薬管理システム。
【請求項８】
請求項１，４〜６のいずれか１の請求項に記載の薬管理システムにおいて、
前記ＩＣタグは、非接触型のＩＣタグである
ことを特徴とする薬管理システム。
【請求項９】
請求項１，４，５のいずれか１の請求項に記載の薬管理システムに用いられ、
前記読取手段と、前記判定手段とを備えた
ことを特徴とする薬管理システムに用いられる読取装置。
【請求項１０】
請求項２の請求項に記載の薬管理システムに用いられ、
前記読取手段と、前記判定手段と、前記検索手段とを備えた
ことを特徴とする薬管理システムに用いられる読取装置。
【請求項１１】
請求項９または１０に記載の読取装置において、
患者情報、処方情報および薬品情報を管理する管理手段に接続される通信手段を備えた
ことを特徴とする薬管理システムに用いられる読取装置。
【発明の詳細な説明】
【技術分野】
【０００１】
この発明は、例えば、病院における薬の処方および患者への薬袋の患者への受け渡し、さらに患者への用法の報知を行う技術に関する。
【背景技術】
【０００２】
一般に、病院内では、薬の管理をバーコードで用いて行っている。つまり、製薬会社から購入した薬剤が梱包された箱にバーコードを貼付し、当該薬剤を保管している薬剤保管庫の保管棚に同様のバーコードを貼付する。そして、作業者がリーダでバーコードを照合しつつ、箱から取り出した薬剤を保管棚の対応する位置に並べる。一方、保管棚から取り出す際は、処方された薬剤名と当該薬剤の保管されている保管棚に付されたバーコードとを照合して取り出す。
【０００３】
しかし、この方法では、複数種類の薬剤を同時に補充する場合、複数の薬剤箱が開封されているため、誤って異なる保管棚に補充してしまう可能性があり、人為的ミスを招きやすい。
【０００４】
そこで、特許文献１には、アンプルや輸液等の薬剤容器の一つ一つにＩＣタグを貼付し、このＩＣタグで管理する薬剤管理庫が開示されている。このＩＣタグには、薬剤の種類、製造日、使用期限、ロットナンバ、薬剤保管庫に入庫された日時、患者情報等の多数の情報が記憶される。そして、ＩＣタグには、薬剤を移動させる度に新しい情報が追記される。これにより、特許文献１では、このＩＣタグから情報を読み取ることにより、「誰がいつ何を何本誰のために取り出したか」等の在庫管理を把握する。
【０００５】
また、特許文献２には、病院内で患者へ投与する薬の間違い等、医療ミスをなくすため、ＩＣタグを用いた薬剤の取扱管理システムが開示されている。この特許文献２では、処方箋に基づく薬剤オーダーがあった場合、システム管理部からオーダー記録紙とＩＣタグを有するオーダーカードが発行される。病室等の薬剤取扱箇所では、オーダーカードに記憶された薬剤関連情報を読み取ってサーバ側へ送信する。そして、特許文献２では、サーバから返信される判定情報に基づき、例えば薬剤オーダーの対象患者と異なる他の患者の病室へオーダーカードと共に当該薬剤が運び込まれたことを報知するようになっている。
【０００６】
しかし、特許文献１は、製薬会社から購入した薬剤を病院等の保管棚に確実に補充するものであり、患者への薬の処方は考慮されていない。一方、特許文献２は、患者への薬の処方は記載されているものの、薬剤管理を一括してサーバで行うため、構成が大がかりなものになり、例えば個人で開業する病院には適したものであるとはいえない。
【特許文献１】特開２００３−９３４７６号公報
【特許文献２】特開２００２−２６９２３４号公報
【発明の開示】
【発明が解決しようとする課題】
【０００７】
本発明は、上記問題に鑑みてなされたもので、簡単な構成で投薬ミスを大幅に削減することのできる薬管理システムを提供することを目的とする。
【課題を解決するための手段】
【０００８】
前述した課題を解決するために、本発明は、カルテ、処方箋、薬袋或いは診察券のいずれかに付与され、少なくとも薬品名、用法、用量に対応したデータを含む処方情報が書き込まれた第１ＩＣタグと、薬品名毎に薬が収容された収容部に付与され、少なくとも薬品を識別するデータを含む薬品情報が書き込まれた第２ＩＣタグと、前記第１ＩＣタグから処方情報を読み取ると共に、前記第２ＩＣタグから薬品情報を読み取る読取手段と、読み取った前記各情報から薬品が一致するか否かを判定する判定手段と、を備えたことを特徴とする薬管理システムを提供する。
【０００９】
上記構成において、予め薬品に対応した収容部の位置を記憶しておき、前記第１ＩＣタグから読み取った処方情報から収容部の位置を検索する検索手段を備えることが好ましい。
【００１０】
上記構成において、前記判定手段で薬品名が一致した場合、前記処方情報の用量に基づいて該当する薬を計量する計量手段を備えることが好ましい。
他の発明は、カルテ、処方箋、薬袋或いは診察券のいずれかに付与され、少なくとも薬品名、用法、用量に対応したデータを含む情報が書き込まれたＩＣタグと、前記ＩＣタグから処方情報を読み取る読取手段と、前記ＩＣタグとは別個に設けられ、薬品毎の基準が記憶されたデータベースと、読み取った前記処方情報と前記データベースの基準とを比較することにより、薬品の用量が不適量であるか否かを判定する計量判定手段と、を備えたことを特徴とする薬管理システムを提供する。
【００１１】
別の発明は、薬袋に付与され、少なくとも患者を識別するデータを含む患者情報が書き込まれた第１ＩＣタグと、診察券に付与され、少なくとも薬品名、用法、用量に対応したデータを含む処方情報と患者を識別するデータを含む患者情報が書き込まれた第２ＩＣタグと、前記第１ＩＣタグから患者情報を読み取ると共に、前記第２ＩＣタグから情報とを読み取る読取手段と、読み取った前記各患者情報が一致するか否かを判定する判定手段と、を備えたことを特徴とする薬管理システムを提供する。
【００１２】
さらに、他の発明は、薬袋或いは診察券の少なくともいずれか一方に付与され、少なくとも用法・用量に対応したデータを含む処方情報が書き込まれたＩＣタグと、前記ＩＣタグに書き込まれた処方情報を読み取る読取手段と、読み取った前記処方情報から用法・用量を報知する報知手段と、を備えたことを特徴とする薬管理システムを提供する。
【００１３】
上記構成において、前記用法・用量に対応したデータは、少なくとも薬の種類、服用時刻、服用量を示し、前記報知手段は、前記薬の種類、服用時刻、服用量などの何れか、または全てを報知することが望ましい。
上記構成において、前記ＩＣタグは、非接触型のＩＣタグであることが望ましい。
【００１４】
前記薬管理システムには、前記読取手段と、前記判定手段とを備えた読取装置が用いられる。
薬管理システムには、前記読取手段と、前記判定手段と、前記検索手段とを備えた読取装置が用いられる。
前記読取装置は、患者情報、処方情報および薬品情報を管理する管理手段に接続される通信手段を備えることが好ましい。
【発明の効果】
【００１５】
本発明による薬管理システムは、カルテ、薬袋、診察券に、少なくとも薬品名、用法、用量に対応したデータを含む処方情報が書き込んだＩＣタグを付与し、各ＩＣタグから読み出した情報を照合することにより、薬の選択、用量、正しい患者への受け渡し等が適正であるか否かを判定する。これにより、簡単な構成で薬の取り間違いを低減し、投薬ミスを大幅に低減することができる。
【発明を実施するための最良の形態】
【００１６】
以下、本発明における実施形態について図面を参照して説明する。
＜実施形態＞
本発明の実施形態に係る薬管理システムについて、図１を参照しつつ説明する。このシステムは、非接触ＩＣタグを用いて病院内での薬の調合、患者への薬袋の受け渡し、患者への用法の報知等を行うものである。
【００１７】
＜構成＞
Ａ．全体構成
病院のＬＡＮ（Local Area Network）には、端末１とタグライタ機能付きプリンタ１０とが接続されており、このＬＡＮはプロバイダ（図示せず）を介してインターネットに接続されている。さらに、インターネットには、例えば製薬会社のデータベースＤが接続されている（図１）。
【００１８】
ここで、端末１は、本体とモニタと操作部とを備えた一般的なパーソナルコンピュータである。本体内のメモリには、医師が患者を管理するための医療情報および管理プログラムが格納されている。具体的には、初診時に入力される個人情報（識別ＩＤ、氏名、性別、年齢、生年月日、アレルギー情報等）、診察後に入力される処方情報（識別ＩＤ、病名、投与薬名、用法、用量等）が医療情報として記憶される。また、管理プログラムには、ＩＣタグへの書き込みや、ＩＣタグからのデータの読み込み動作を規定するプログラムなどがある。
【００１９】
Ｂ．プリンタの構成
プリンタ１０は、端末１から印刷命令を受けて、カルテ（診察記録カード）、薬袋、診察券等に患者名や識別ＩＤを印刷する。また、プリンタ１０は、印刷対象物にＩＣタグを貼り付ける機能を有し、かつ貼り付けたＩＣタグに情報を書き込むライタ機能も備えている。なお、プリンタ１０では、予め紙にＩＣタグが貼り付けられている場合でもＩＣタグへの情報の書き込みは行うことができる。
【００２０】
図２は、プリンタ１０の機能を示すブロック図である。
画像印刷機構１１には、端末１から送られた文字データやイメージデータを印刷するプリンタエンジンが内蔵されている。
シート搬送機構１２は、給紙カセット（図示せず）に収容された印刷対象物（カルテ、薬袋、診察券等）を一枚ずつ画像印刷機構１１に搬送するものである。
ネットワーク通信機構１３は、プリンタ１０をＬＡＮ、公衆回線網（インターネット）等に接続するものであり、外部インターフェースやモデム（図示せず）を有している。
【００２１】
制御部１４はマイクロコンピュータからなり、ＣＰＵ（Central Processing Unit）１５、ＲＯＭ（Read Only Memory）１６、ＲＡＭ（Random Access Memory）１７によって構成されている。ここで、ＲＯＭ１６には、プリンタ１０の各種制御を行うためのプログラムが記憶されると共に、後述する薬を管理するためのプログラム等が格納されている。ＣＰＵ１１は、このプログラムをＲＯＭ１６から読み出して実行することにより各機構の動作を制御する。ＲＡＭ１７はＣＰＵ１１がプログラムを実行する際のワークエリアとして使用される。
【００２２】
タグ取付機構１８は、画像印刷機構１１によって画像形成がなされた印刷対象物にＩＣタグを取り付ける。ＩＣタグの取り付け位置は、印刷対象物の大きさを検出することにより、適宜変更される。この場合のＩＣタグは、接着剤が塗布されて貼着される。
【００２３】
このＩＣタグは、外部装置との間でデータの授受を非接触状態で行う、いわゆる無線ＩＣタグである。ＩＣタグは、図３に示すように、書き込まれたデータを保持する不揮発性の半導体メモリＭ、アンテナＡまたはコイル等からなり、外部の機器との間でマイクロ波、誘導電磁界等を用いて通信を行う。
【００２４】
タグリーダ／ライタ１９は、印刷対象物を搬送する搬送路上に一定間隔にて複数設けられている。タグリーダ／ライタ１９の設置間隔は、画像形成に用いられる最小サイズの印刷対象物の長さ（例えば、診察券）に基づいて定められている。
【００２５】
Ｃ．タグリーダ（読取装置）
次に、本実施形態に用いられるタグリーダについて説明する。図３は、タグリーダ２０の機能を示すブロック図である。
受信部２１は、受信アンテナ２２を介してＩＣタグとの間で、マイクロ波、誘導電磁界等を用いて非接触状態でデータの通信を行わせ、ＩＣタグに書き込まれたデータを読み取る。
【００２６】
表示部２３は、処理結果や処理の指示を促す画面を表示するもので、液晶パネルからなる。通信部２４は、送受信アンテナ２５を介して端末１との間で信号の授受を行う。送受信アンテナ２５と端末１との間は、赤外線通信やBluetooth等による無線通信が行われる。
【００２７】
制御部２７はマイクロコンピュータからなり、ＣＰＵ２８、ＲＯＭ２９、ＲＡＭ３０によって構成されている。ここで、ＲＯＭ２９には、タグリーダ２０の各種制御を行うためのプログラムが格納されている。ＣＰＵ２８は、このプログラムをＲＯＭ２９から読み出して実行することにより各動作を制御する。操作部２６は、タグリーダ２０を操作するもので、複数個のスイッチによって構成される。スイッチ動作により各種動作をＣＰＵ２８に行わせる。
【００２８】
各動作とは、ＩＣタグに書き込まれたデータを読み取る読取動作、読み取った２つのデータを比較する判定動作、予めＲＯＭ２９に記憶されたテーブルに基づいて対象を検索する検索動作等である。
【００２９】
＜動作＞
次に、具体例を挙げて薬管理システムの動作について説明する。
このシステムを動作させるに当たり、事前処理が実行される。
初診の患者が病院を訪れた場合には、医師は、個人情報（識別ＩＤ、氏名、性別、年齢、生年月日、アレルギー情報等）を入手する。この個人情報は端末１に入力され、記憶エリアに記憶される（図４）。
【００３０】
そして、患者に渡す診察券をプリンタ１０により印刷する。診察券の表面には、患者氏名と端末１で割り振られた識別ＩＤが印刷され、同時に貼着されたＩＣタグには、個人情報に応じたデータが書き込まれる。
【００３１】
一方、医師は、患者を診察する際、カルテを記載し、薬の処方箋も同時に作成する。この処方箋の情報は、端末１に入力され、予め記憶された個人情報に対応付けて記憶エリアに記憶される。薬の調合に用いる処方箋をプリンタ１０により印刷する。処方箋の表面には、患者氏名、識別ＩＤおよび処方内容が印刷され、同時に貼着されたＩＣタグには、処方情報（識別ＩＤ、病名、投与薬名、用法、用量等）に応じたデータが書き込まれる。
【００３２】
さらに、患者に渡す薬袋をプリンタ１０により印刷する。薬袋の表面には、患者氏名、識別ＩＤおよび処方内容が印刷され、同時に貼着されたＩＣタグには、処方情報（識別ＩＤ、病名、投与薬名、用法、用量等）に応じたデータが書き込まれる。
図４には、事前処理を模式的に表している。端末１の記憶エリアには、患者の個人情報や診察結果、処方箋等を簡単に入力するためのフォーマットを作成するプログラムが予め格納されている。このプログラムを起動することにより、医師は端末１に各種情報を簡単に入力する。また、ＩＣタグへの情報の書込は、端末１に接続されたＩＣタグライタで行える。
【００３３】
次に、図１を参照しつつ、本システムによる処理動作の概略を説明する。
医師による診察後の流れは、以下のようになる。
診察を終えた医師は、薬剤士に薬の調合を依頼する。薬剤士は、薬を調合するために処方箋に記載された薬品を薬品棚から選び薬品の照合を行う（ａ．薬品照合処理）。次に、薬剤士は、薬の調合を行う（ｂ．薬品調合処理）。調合した薬を薬袋に入れ、患者に手渡す（ｃ．薬袋照合処理）。薬袋を受け取った患者に対し、用法に従った薬の服用を促す（ｄ．用法表示処理）。
【００３４】
ａ．薬品照合処理
ＲＯＭ２９には、図５に示す薬品棚５０の収容庫５１の位置と、収容庫５１に収容された薬品とが対応付けられたデータテーブルが記憶されると共に、薬品を指定すれば収容庫５１がこのデータテーブルから検索される薬品検索プログラムも格納されている。また、薬品棚５０の収容庫５１には、薬品名の印刷と薬品情報（薬品名、製造会社、製造年月日等）が書き込まれたＩＣタグが貼着されたラベルが貼り付けられている。
【００３５】
薬剤士は、薬品棚５０の収容庫５１から薬品を選ぶ作業を行う。
始めに、タグリーダ２０で処方箋のＩＣタグから処方情報を読み取る（図５）。読み取った処方情報の薬品名からこの薬品が収容される薬品棚５０の収容庫５１を検索する。例えば、読み取った処方情報の薬品が左上段の収容庫５１に収容されている場合には、図６に示すように、表示部２３に薬品棚５０の配置が表示され、該当位置が点灯する。これにより、薬剤士は、指定の薬品が収容されている収容庫５１の位置を容易に把握できる。次に、薬剤士は、検索された収容庫５１のラベルに貼着されたＩＣタグからタグリーダ２０を用いて薬品情報を読み取る（図５）。タグリーダ２０は、先に読み取った処方情報の薬品名と、今読み取った薬品情報の薬品名とを照合する。両者の一致、不一致を示す表示を表示部２３に表示する。この処理により、薬品の選択間違いを無くし、薬剤士の人為ミスを低減する。
さらに、収容庫５１の検索処理を行うことにより、薬剤士が収容庫５１を捜す手間が省け、作業効率の向上を図ることができる（図６）。
【００３６】
なお、一致、不一致を電子音や音声メッセージで出力するサウンドシステムＳＳを設けてもよい。
【００３７】
ｂ．薬品調合処理
図７に示す計量器６０は、電子式の秤であり、タグリーダ２０と同調した無線通信を行う機能を備えており、計量器６０で計測された重さを示すデータがタグリーダ２０に送信される。
【００３８】
タグリーダ２０のＲＯＭ２９には、処方情報の用量と計量器６０から送信される重さとを比較し、重さが予め決められた誤差範囲の用量になったときに「ＯＫ」の表示を行う。
【００３９】
まず、薬剤士は、薬品照合処理で得られた薬品を調合（計量）する作業を行う。
薬剤士は、タグリーダ２０で処方箋のＩＣタグから処方情報を読み取る（図７）。既に前の処理でタグリーダ２０に処方情報が読み取られている場合には省略してもよい。そして、薬剤士は、計量器６０とタグリーダ２０とを無線で接続させ、計量器６０による計量を始める。薬品が用量の誤差範囲になった場合には、表示部２３に「ＯＫ」が表示される。何種類かの薬品を調合する場合も、上述と同様に行えばよい。
以上の処理により、薬品の計量間違いを無くすことができる。
【００４０】
ｃ．薬袋照合処理
薬剤士は、調合された薬を既に患者名とＩＣタグが貼着された薬袋に入れ、患者に受け渡す作業を行う。
薬剤士は、タグリーダ２０で患者が持っている診察券のＩＣタグから個人情報を読み取ると共に、薬袋のＩＣタグから処方情報を読み取る（図８）。次に、タグリーダ２０は、個人情報から得られた識別ＩＤと、処方情報から得られた識別ＩＤとを照合し、一致した場合に薬袋を患者に受け渡す。
【００４１】
これにより、同姓同名の患者が薬の受け取り待ちで重なった場合でも、渡し間違いをなくすことができる。
【００４２】
ｄ．用法表示処理
タグリーダ２０のＲＯＭ２９には、薬袋のＩＣタグから読み取った処方情報から用法・用量（服用の時期、種類、量）を表示するプログラムが格納されている。
患者が、タグリーダ２０で薬袋のＩＣタグから処方情報を読み取ると（図９）、タグリーダ２０は、表示部２３に用法・用量を表示する。具体的には、「朝食後に服用。赤・・・１錠、白・・・２錠」といった具合である。画像情報が表示できる端末であれば上記とあわせて薬の画像情報を表示する構成としても良い。
【００４３】
この用法表示処理により、患者に対して薬服用を促すことができ、患者の薬の飲み忘れを低減する。
なお、患者が通常使用する携帯電話、ＰＤＡ等にタグリーダ２０の読取機能を付加してもよい。また、タグリーダ２０にタイマ機能を具備させ、患者のライフスタイル（起床時間、食事時間、就寝時間）に対応した時間帯に服用を促すような警報を発生させてもよい。
【００４４】
ｅ．処方判定処理
この処理は、医師による薬の処方が適正か否かを判定する処理である。
まず、タグリーダ２０と薬品データベースＤとを接続する。この薬品データベースＤは、例えば製薬会社が管理するもので、薬品名と安全な投与量が記憶されている。
【００４５】
タグリーダ２０で処方箋のＩＣタグから処方情報を読み取る（図１０）。タグリーダ２０が、処方情報の薬品名から、データベースの薬品名に対応して安全な投与量を読み出す。処方情報の用量と安全な投与量とを比較して処方が適正であるか否かを判定する。
【００４６】
＜実施形態の効果＞
このように、本実施形態による薬管理システムでは、薬を調合するために処方箋やカルテに記載された薬品を薬品棚から選び薬品の照合（ａ．薬品照合処理）、薬の調合（ｂ．薬品調合処理）、患者への薬袋の受け渡し（ｃ．薬袋照合処理）、患者への用法の表示（ｄ．用法表示処理）を行うことにより、人為的なミスを低減し、医療ミスをなくすことができる。しかも、薬管理システムは、タグライタ機能付きプリンタ１０とタグリーダ２０、さらに簡単なコンピュータシステムによって実現可能であり、開業医のような比較的小型の病院には最適なシステムである。
【００４７】
＜変形例＞
前記実施形態では、薬品の調合を処方箋に添付したＩＣタグを用いて行うものとして述べたが、処方箋の代わりに薬袋を用いても良い。
【００４８】
タグリーダ２０と端末１とを適宜無線通信で接続し、処理状況を端末１で監視するようにしてもよい。
【図面の簡単な説明】
【００４９】
【図１】本発明の実施形態に係る薬管理システムを示す概略図である。
【図２】本実施形態によるタグライタ機能付きプリンタを示すブロック図である。
【図３】本実施形態によるタグリーダを示すブロック図である。
【図４】本実施形態による事前処理を示す図である。
【図５】本実施形態による薬品照合処理を示す図である。
【図６】本実施形態による薬品検索処理を示す図である。
【図７】本実施形態による薬品調合処理を示す図である。
【図８】本実施形態による薬袋照合処理を示す図である。
【図９】本実施形態による用法表示処理を示す図である。
【図１０】本実施形態による処方判定処理を示す図である。
【符号の説明】
【００５０】
１…端末、１０…タグライタ機能付きプリンタ（画像読取装置）、２０…タグリーダ。
【図１】
2006092197.tif 000003
【図２】
2006092197.tif 000004
【図３】
2006092197.tif 000005
【図４】
2006092197.tif 000006
【図５】
2006092197.tif 000007
【図６】
2006092197.tif 000008
【図７】
2006092197.tif 000009
【図８】
2006092197.tif 000010
【図９】
2006092197.tif 000011
【図１０】
2006092197.tif 000012